(57)【特許請求の範囲】
【請求項１】
折り返した長尺のフラットハーネスの折り返し部分を保持するフラットハーネス保持具であって、
前記折り返し部分における屈曲の内側に配置される第１部材と、
前記折り返し部分とともに前記第１部材が開口部から押し込まれることで前記折り返し部分とともに前記第１部材を収容可能なハーネス保持空間を有する箱型状の第２部材と、を備え、
前記ハーネス保持空間を形成する両側面の間の幅寸法が、前記開口部から前記ハーネス保持空間の奥側へ向かって次第に小さくなっており、
前記第１部材は、前記第２部材の前記開口部から前記ハーネス保持空間の奥側へ向けて押し込まれることで、両端が前記両側面に係止し、前記第２部材に固定される
ことを特徴とするフラットハーネス保持具。
【請求項２】
前記第１部材は、前記折り返し部分における屈曲の内側に当接する縁部が外側へ膨出して断面視円弧状に形成された板体からなることを特徴とする請求項１に記載のフラットハーネス保持具。
【請求項３】
前記第１部材は、前記両端に、外方へ突出する係止突部を有することを特徴とする請求項２に記載のフラットハーネス保持具。
【請求項４】
前記第１部材は、断面視円形状の棒体からなることを特徴とする請求項１に記載のフラットハーネス保持具。
【発明の詳細な説明】
【技術分野】
【０００１】
本発明は、例えば、自動車等の車両に配策されるフラットハーネスの折り返し部分を保持するフラットハーネス保持具に関する。
【背景技術】
【０００２】
フラットハーネスを横断可能な凸状円弧面を備えた棒状の第１部材と、フラットハーネスを横断可能な凹状円弧面を備えた棒状の第２部材とを有し、フラットハーネスを介して凸状円弧面と凹状円弧面とが対面するように、第２部材が第１部材に対して握着することで、フラットハーネスを長手方向に対して交差する折返線を境界として折り返した状態に保持するフラットハーネス保持具が知られている（例えば、特許文献１参照）。
【０００３】
また、フラット電線を曲げ箇所で折り重ねることによって、曲がり部の形状に合致する曲げ形状を形成すると共に、折り重なるフラット電線の絶縁性樹脂被覆層同士を熱融着させることで、曲げ形状を維持させる技術が知られている（例えば、特許文献２参照）。
【先行技術文献】
【特許文献】
【０００４】
【特許文献１】特開２０００−２７６９５６号公報
【特許文献２】特開２０１３−７４６３２号公報
【発明の概要】
【発明が解決しようとする課題】
【０００５】
ところで、特許文献１に記載の保持具では、フラットハーネスの折り返し部分の屈曲の内側に挿入した第１部材に第２部材を被せることでフラットハーネスを保持するので、フラットハーネスが第１部材と第２部材とで挟持されることとなる。このため、フラットハーネスには、常に挟持力が作用することとなり、電線にダメージが付与されるおそれがある。
【０００６】
また、特許文献２に記載の技術では、フラット電線に熱融着させるための熱融着部を設けなければならず、しかも、熱融着させるための特殊な工具を要するとともに、熱融着する際に曲げ形状を維持させる形状維持作業を要する。また、折り返し部分における曲率半径が小さくなり、電線にダメージが付与されるおそれがある。
【０００７】
本発明は、上述した事情に鑑みてなされたものであり、その目的は、無理な力を付与することなく、フラットハーネスの折り返し部分を容易にかつ確実に保持して曲げ形状を維持することが可能なフラットハーネス保持具を提供することにある。
【課題を解決するための手段】
【０００８】
前述した目的を達成するために、本発明に係るフラットハーネス保持具は、下記（１）〜（４）を特徴としている。
（１）  折り返した長尺のフラットハーネスの折り返し部分を保持するフラットハーネス保持具であって、
前記折り返し部分における屈曲の内側に配置される第１部材と、
前記折り返し部分とともに前記第１部材が開口部から押し込まれることで前記折り返し部分とともに前記第１部材を収容可能なハーネス保持空間を有する箱型状の第２部材と、を備え、
前記ハーネス保持空間を形成する両側面の間の幅寸法が、前記開口部から前記ハーネス保持空間の奥側へ向かって次第に小さくなっており、
前記第１部材は、前記第２部材の前記開口部から前記ハーネス保持空間の奥側へ向けて押し込まれることで、両端が前記両側面に係止し、前記第２部材に固定される
ことを特徴とするフラットハーネス保持具。
（２）  前記第１部材は、前記折り返し部分における屈曲の内側に当接する縁部が外側へ膨出して断面視円弧状に形成された板体からなることを特徴とする（１）に記載のフラットハーネス保持具。
（３）  前記第１部材は、前記両端に、外方へ突出する係止突部を有することを特徴とする（２）に記載のフラットハーネス保持具。
（４）  前記第１部材は、断面視円形状の棒体からなることを特徴とする（１）に記載のフラットハーネス保持具。
【０００９】
上記（１）の構成のフラットハーネス保持具では、フラットハーネスの折り返し部分における屈曲の内側に配置させた第１部材を第２部材のハーネス保持空間に押し込むことで、第１部材の両端をハーネス保持空間の両側面に係止させ、これにより、第１部材を第２部材に固定させることができる。したがって、フラットハーネスを挟持して保持する保持具を用いたりフラットハーネスを折り曲げて熱融着させる場合と比較し、フラットハーネスに無理な力を付与することなく、容易にかつ確実にフラットハーネスの折り返し部分を保持して曲げ形状を維持することができる。
上記（２）の構成のフラットハーネス保持具では、板材からなる第１部材の折り返し部分における屈曲の内側に当接する縁部が外側へ膨出して断面視円弧状に形成されているので、フラットハーネスの折り返し部分における折り曲げによるダメージを極力抑えることができる。
上記（３）の構成のフラットハーネス保持具では、第１部材を第２部材のハーネス保持空間へ収容させることで、第１部材の両端の係止突部がハーネス保持空間を形成する両側面に確実に係止する。これにより、第１部材を第２部材に確実に固定することができ、よって、フラットハーネスの折り返し部分を無理なく確実に保持することができる。
上記（４）の構成のフラットハーネス保持具では、第１部材が断面視円形状の棒体からなるので、フラットハーネスの折り返し部分における折り曲げによるダメージを極力抑えることができる。
【発明の効果】
【００１０】
本発明によれば、無理な力を付与することなく、フラットハーネスの折り返し部分を容易にかつ確実に保持して曲げ形状を維持することが可能なフラットハーネス保持具を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るフラットハーネス保持具を示すフラットハーネスを保持した状態を示す斜視図である。
【図２】図２は、図１におけるＡ−Ａ断面図である。
【図３】図３は、フラットハーネス保持具を構成する保持板の平面図である。
【図４】図４は、図３におけるＢ−Ｂ断面図である。
【図５】図５は、フラットハーネス保持具を構成する保持ケースの斜視図である。
【図６】図６は、図５におけるＣ−Ｃ断面図である。
【図７】図７は、フラットハーネス保持具によるフラットハーネスの折り曲げ部の保持工程を説明する図であって、図７（ａ）〜図７（ｃ）は、それぞれ平面図である。
【図８】図８は、他の実施形態に係るフラットハーネス保持具を示すフラットハーネスを保持した状態を示す斜視図である。
【図９】図９は、図８におけるＤ−Ｄ断面図である。
【図１０】図１０は、フラットハーネス保持具によるフラットハーネスの折り曲げ部の保持工程を説明する図であって、図１０（ａ）及び図１０（ｂ）は、それぞれ斜視図である。
【発明を実施するための形態】
【００１３】
以下、本発明に係る実施の形態の例を、図面を参照して説明する。
図１は、本実施形態に係るフラットハーネス保持具を示すフラットハーネスを保持した状態の斜視図である。図２は、図１におけるＡ−Ａ断面図である。
【００１４】
図１及び図２に示すように、本実施形態に係るフラットハーネス保持具１１は、長尺のフラットハーネス１における折り返し部分１ａを保持する保持具である。フラットハーネス保持具１１は、保持板（第１部材）２１と、保持ケース（第２部材）３１とを有している。
【００１５】
フラットハーネス保持具１１が保持するフラットハーネス１は、例えば、自動車等の車両に配策される配線部材であり、間隔をあけて並列させた複数本の電線が樹脂によって一体化されている。
【００１６】
図３は、フラットハーネス保持具を構成する保持板の平面図である。図４は、図３におけるＢ−Ｂ断面図である。
【００１７】
図３に示すように、保持板２１は、平面視が略台形状に形成された板状に形成されている。保持板２１は、例えば、プラスチック等の合成樹脂からなる板材であり、一方の縁部がハーネス屈曲縁２２とされている。保持板２１は、フラットハーネス保持具の幅方向と同方向の両端が係止端２３とされており、これらの係止端２３は、ハーネス屈曲縁２２へ向かって互いに近接するように傾斜されている。係止端２３は、外側へ向かって突出する平面視山型状の係止突部２４を有している。図４に示すように、保持板２１のハーネス屈曲縁２２は、断面視において、外方へ膨出する円弧状に形成されている。
【００１８】
図５は、フラットハーネス保持具を構成する保持ケースの斜視図である。図６は、図５におけるＣ−Ｃ断面図である。
【００１９】
図５及び図６に示すように、保持ケース３１は、上面板部３２、下面板部３３、側面板部３４及び背面板部３５を有する箱型形状に形成されている。保持ケース３１は、例えば、プラスチック等の合成樹脂から成形されたもので、背面板部３５と反対側に開口部３６を有している。この保持ケース３１は、内部がハーネス保持空間Ｓとされている。このハーネス保持空間Ｓには、開口部３６からフラットハーネス１の一部が収容されて保持される。保持ケース３１は、開口部３６側に対して背面板部３５側の幅寸法が小さくされており、両側面３４ａが開口部３６側から背面板部３５側へ向かって互いに近接するように配置されている。これにより、ハーネス保持空間Ｓは、開口部３６側から背面板部３５側へ向かって次第に幅寸法が小さくされている。
【００２０】
フラットハーネス保持具１１を構成する保持板２１は、保持ケース３１のハーネス保持空間Ｓの高さ寸法よりも小さい厚さ寸法を有している。保持ケース３１のハーネス保持空間Ｓには、その開口部３６から保持板２１が収容可能とされている。保持ケース３１のハーネス保持空間Ｓに保持板２１を押し込むことで、保持板２１の係止端２３の係止突部２４が保持ケース３１の両側面３４ａに係止する。
【００２１】
次に、保持板２１及び保持ケース３１からなるフラットハーネス保持具１１にフラットハーネス１を保持させる場合について説明する。
【００２２】
図７は、フラットハーネス保持具によるフラットハーネスの折り曲げ部の保持工程を説明する図であって、図７（ａ）〜図７（ｃ）は、それぞれ平面図である。
【００２３】
図７（ａ）に示すように、フラットハーネス１に対して、その一方の面側に保持板２１を斜めに配置させる。このとき、保持板２１のハーネス屈曲縁２２の略中央にフラットハーネス１が位置するように保持板２１をフラットハーネス１上に配置させる。
【００２４】
図７（ｂ）に示すように、フラットハーネス１を保持板２１のハーネス屈曲縁２２に巻き付かせるように折り返す。
【００２５】
図７（ｃ）に示すように、フラットハーネス１をハーネス屈曲縁２２に巻き付かせた保持板２１を、保持ケース３１の開口部３６からハーネス保持空間Ｓ内へ押し込む。
【００２６】
このようにすると、フラットハーネス１をハーネス屈曲縁２２に巻き付かせた保持板２１が保持ケース３１のハーネス保持空間Ｓ内に収容されるとともに、保持板２１の係止端２３の係止突部２４が保持ケース３１の両側面３４ａを係止する。これにより、保持板２１が保持ケース３１に固定され、フラットハーネス１の折り返し部分１ａが保持ケース３１のハーネス保持空間Ｓ内に収容された状態に保持される。
【００２７】
このように、上記実施形態に係るフラットハーネス保持具１１によれば、フラットハーネス１の折り返し部分１ａにおける屈曲の内側に配置させた保持板２１を保持ケース３１のハーネス保持空間Ｓに押し込むことで、保持板２１の両方の係止端２３をハーネス保持空間Ｓの両側面３４ａに係止させ、これにより、保持板２１を保持ケース３１に固定させることができる。したがって、フラットハーネス１を挟持して保持する保持具を用いたりフラットハーネス１を折り曲げて熱融着させる場合と比較し、フラットハーネス１に無理な力を付与することなく、容易にかつ確実にフラットハーネス１の折り返し部分１ａを保持して曲げ形状を維持することができる。
【００２８】
また、フラットハーネス１の折り返し部分１ａにおける屈曲の内側に当接する保持板２１のハーネス屈曲縁２２が外側へ膨出して断面視円弧状に形成されているので、フラットハーネス１の折り返し部分１ａにおける折り曲げによるダメージを極力抑えることができる。
【００２９】
しかも、保持板２１を保持ケース３１のハーネス保持空間Ｓへ収容させることで、保持板２１の両端の係止突部２４がハーネス保持空間Ｓを形成する両側面３４ａを確実に係止する。これにより、保持板２１を保持ケース３１に確実に固定することができ、よって、フラットハーネス１の折り返し部分１ａを無理なく確実に保持することができる。
【００３０】
次に、他の実施形態に係るフラットハーネス保持具について説明する。
なお、上記実施形態と同一構成部分は、同一符号を付して説明を省略する。
【００３１】
図８は、他の実施形態に係るフラットハーネス保持具を示すフラットハーネスを保持した状態の斜視図である。図９は、図８におけるＤ−Ｄ断面図である。
【００３２】
図８及び図９に示すように、このフラットハーネス保持具１１Ａは、保持棒（第１部材）４１と、保持ケース３１とを備えている。保持棒４１は、例えば、プラスチック等の合成樹脂あるいは金属を棒状に形成した棒体からなるもので、断面視円形状に形成されている。この保持棒４１は、その両端が係止端４３とされている。
【００３３】
保持棒４１は、保持ケース３１のハーネス保持空間Ｓの高さ寸法よりも小さい外径寸法を有しており、保持ケース３１のハーネス保持空間Ｓには、その開口部３６から保持棒４１が収容可能とされている。保持ケース３１のハーネス保持空間Ｓに保持棒４１を押し込むことで、保持棒４１の両端からなる係止端４３が保持ケース３１の側面３４ａを係止する。
【００３４】
次に、保持棒４１及び保持ケース３１からなるフラットハーネス保持具１１Ａにフラットハーネス１を保持させる場合について説明する。
【００３５】
図１０は、フラットハーネス保持具によるフラットハーネスの折り曲げ部の保持工程を説明する図であって、図１０（ａ）及び図１０（ｂ）は、それぞれ斜視図である。
【００３６】
図１０（ａ）に示すように、フラットハーネス１を折り返し、このフラットハーネス１の折り返し部分１ａの屈曲の内側に保持棒４１を入り込ませ、この保持棒４１の一方の係止端４３を保持ケース３１のハーネス保持空間Ｓ内へ挿し込んで保持ケース３１の一方の側面３４ａに当接させる。
【００３７】
図１０（ｂ）に示すように、保持棒４１を平面内で回動させてフラットハーネス１の折り返し部分１ａの屈曲の内側へさらに入り込ませ、保持棒４１の他方の係止端４３を保持ケース３１のハーネス保持空間Ｓへ入れる。
【００３８】
このようにすると、保持棒４１が保持ケース３１のハーネス保持空間Ｓ内へ押し込まれ、保持棒４１の両方の係止端４３が保持ケース３１の両側面３４ａに係止する。これにより、保持棒４１が保持ケース３１のハーネス保持空間Ｓ内に収容されて固定され、フラットハーネス１は、その一部が保持棒４１に巻き付けられた状態で保持ケース３１のハーネス保持空間Ｓ内に収容された状態に保持される。
【００３９】
このように、上記実施形態に係るフラットハーネス保持具１１Ａの場合も、フラットハーネス１の折り返し部分１ａにおける屈曲の内側に配置させた保持棒４１を保持ケース３１のハーネス保持空間Ｓに押し込むことで、保持棒４１の両方の係止端４３をハーネス保持空間Ｓの両側面３４ａに係止させ、これにより、保持棒４１を保持ケース３１に固定させることができる。したがって、フラットハーネス１を挟持して保持する保持具を用いたりフラットハーネス１を折り曲げて熱融着させる場合と比較し、フラットハーネス１に無理な力を付与することなく、容易にかつ確実にフラットハーネス１の折り返し部分１ａを保持して曲げ形状を維持することができる。
【００４０】
また、保持棒４１が断面視円形状の棒体からなるので、フラットハーネス１の折り返し部分１ａにおける折り曲げによるダメージを極力抑えることができる。
【００４１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
ここで、上述した本発明に係るフラットハーネス保持具の実施形態の特徴をそれぞれ以下［１］〜［４］に簡潔に纏めて列記する。
［１］  折り返した長尺のフラットハーネス（１）の折り返し部分（１ａ）を保持するフラットハーネス保持具（１１）であって、
前記折り返し部分（１ａ）における屈曲の内側に配置される第１部材（保持板２１，保持棒４１）と、
前記折り返し部分（１ａ）とともに前記第１部材（保持板２１，保持棒４１）が開口部（３６）から押し込まれることで前記折り返し部分（１ａ）とともに前記第１部材（保持板２１，保持棒４１）を収容可能なハーネス保持空間（Ｓ）を有する箱型状の第２部材（保持ケース）と、
を備え、
前記第１部材（保持板２１，保持棒４１）は、前記第２部材（保持ケース３１）の前記ハーネス保持空間（Ｓ）に収容されることで、両端（係止端２３，４３）が前記ハーネス保持空間（Ｓ）を形成する両側面（３４ａ）に係止し、前記第２部材（保持ケース３１）に固定される
ことを特徴とするフラットハーネス保持具。
［２］  前記第１部材（保持板２１）は、前記折り返し部分（１ａ）における屈曲の内側に当接する縁部（ハーネス屈曲縁２２）が外側へ膨出して断面視円弧状に形成された板体からなることを特徴とする［１］に記載のフラットハーネス保持具。
［３］  前記第１部材（保持板２１）は、前記両端に、外方へ突出する係止突部（２４）を有することを特徴とする［２］に記載のフラットハーネス保持具。
［４］  前記第１部材（保持棒４１）は、断面視円形状の棒体からなることを特徴とする［１］に記載のフラットハーネス保持具。
【符号の説明】
【００４３】
１  フラットハーネス
１ａ  折り返し部分
１１，１１Ａ  フラットハーネス保持具
２１  保持板（第１部材）
２２  ハーネス屈曲縁（縁部）
２３  係止端（両端）
２４  係止突部
３１  保持ケース（第２部材）
３４ａ  側面
３６  開口部
４１  保持棒（第１部材）
４３  係止端（両端）
Ｓ  ハーネス保持空間
【図１】
0006450173.tif 000002
【図２】
0006450173.tif 000003
【図３】
0006450173.tif 000004
【図４】
0006450173.tif 000005
【図５】
0006450173.tif 000006
【図６】
0006450173.tif 000007
【図７】
0006450173.tif 000008
【図８】
0006450173.tif 000009
【図９】
0006450173.tif 000010
【図１０】
0006450173.tif 000011